(57)【要約】【課題】利用者の要求に即して、モニタリング映像の閲覧を容易にする。【解決手段】モニタリングサーバ１０は、カメラ３０からのモニタリング対象となる複数の映像を入力する映像入力部１１と、モニタリングクライアント２０からの、画像をどのように補正するかに関する情報を含む補正要求情報を受信して解析を行う配信応対部１２と、前記解析結果に基づいて、画像補正情報を生成して、画像補正データベース１４に格納するとともに、入力映像に対して、画像の補正処理を行う画像補正処理部１３と、前記補正処理結果に基づいて、補正処理された画像情報を前記クライアント２０に配信する配信処理部１５と、前記モニタリングクライアント２０は、利用者からの入力を受け付けた画像補正要求に関して、補正要求情報を生成し、前記サーバ１０に転送する補正要求定義部２１と、前記画像情報を受信して、該情報の表示処理を行う表示制御部２２とを備える。【選択図】図１
2007306529.tif 000002
【特許請求の範囲】
【請求項１】
モニタリングサーバ及びモニタリングクライアントを備えて構成される映像モニタリングシステムであって、
前記モニタリングサーバは、
映像入力装置から出力されるモニタリング対象となる複数の映像を入力する映像入力手段と、
前記モニタリングクライアントから送られてくる、画像をどのように補正するかに関する情報を含む補正要求情報を受信して解析を行う配信応対手段と、
前記解析結果に基づいて、画像補正情報を生成して、画像補正データベースに格納するとともに、入力映像に対して、画像の補正処理を行う画像補正処理手段と、
前記補正処理結果に基づいて、補正処理された画像情報を前記モニタリングクライアントに配信する配信処理手段と、
前記画像補正処理手段により生成された画像補正情報を保持する画像補正データベースとを有することを特徴とする映像モニタリングシステム。
【請求項２】
前記画像補正処理手段は、
入力された映像を取得し各フレームに対する画像情報を含む入力画像情報を生成する手段と、
利用者からの画像をどのように補正するかに関する情報を含む補正要求情報を取得する手段と、
前記補正要求情報から、補正処理に必要な補正方法を選択する手段と、
前記選択された補正方法に基づいて、前記データベースから補正に係る処理パラメータなどを含む画像補正情報を取得する手段と、
前記取得処理結果に基づいて、画像補正に必要な画像補正情報を生成する手段と、
前記生成処理結果に基づいて、入力された画像情報に対して補正処理する手段と、
各フレームに対する画像補正情報を前記データベースに格納する手段と、を有することを特徴とする請求項１記載の映像モニタリングシステム。
【請求項３】
前記モニタリングクライアントは、利用者からの入力を受け付けた画像補正要求に関して、補正要求情報を生成し、前記モニタリングサーバに転送する補正要求定義手段と、前記モニタリングサーバから配信された画像情報を受信して、該情報の表示処理を行う表示制御手段と、を有することを特徴とする請求項１又は２記載の映像モニタリングシステム。
【請求項４】
前記補正要求定義手段は、利用者が直感的かつ簡単に映像に対する所望の加工処理を選択することのできるユーザインタフェースを有することを特徴とする請求項３記載の映像モニタリングシステム。
【請求項５】
利用者により操作されるモニタリングクライアントとネットワークを介して接続され、前記利用者へモニタリング映像を配信するモニタリングサーバにおいて、画像補正情報を保持する画像補正データベースを格納した記憶手段と、該モニタリングサーバの動作を制御する制御手段であって、前記モニタリングクライアントから送られてくる補正要求情報を解析し、該解析結果に基づいて、画像補正情報を生成して、前記画像補正データベースに格納するとともに、入力映像に対して、画像の補正処理を行い、該画像情報を、前記モニタリングクライアントに配信する制御手段と、を有することを特徴とするモニタリングサーバ。
【請求項６】
モニタリングサーバとネットワークを介して接続され、利用者により操作されるモニタリングクライアントにおいて、前記利用者により操作される入出力手段と、該モニタリングクライアントの動作を制御する制御手段であって、利用者からの入力を受け付けた画像補正要求に関して、補正要求情報を生成し、前記モニタリングサーバに転送し、前記モニタリングサーバから配信された画像情報を受信して、該情報の表示処理を行う制御手段と、を有することを特徴とするモニタリングクライアント。
【請求項７】
モニタリングサーバ及びモニタリングクライアントを有して構成される映像モニタリングシステムにおける、該映像モニタリングシステムで配信されるモニタリング画像を補正処理する方法であって、
前記モニタリングサーバは、画像をどのように補正するかに関する情報を含む画像補正情報を格納する画像補正データベースを備えており、
入力画像情報生成手段が、入力された映像を取得し各フレームに対する画像情報を含む入力画像情報を生成するステップと、
補正要求情報取得手段が、利用者からの画像をどのように補正するかに関する情報を含む補正要求情報を取得するステップと、
補正方法選択手段が、前記補正要求情報から補正処理に必要な補正方法を選択するステップと、
画像補正情報取得手段が、前記選択された補正方法に基づいて前記データベースから補正に係る処理パラメータなどを含む画像補正情報を取得するステップと、
画像補正情報生成手段が、前記取得処理結果に基づいて画像補正に必要な画像補正情報を生成するステップと、
補正処理手段が、前記生成処理結果に基づいて、入力された画像情報に対して補正処理するステップと、
画像補正情報格納手段が、各フレームに対する画像補正情報を前記データベースに格納するステップと、を有することを特徴とする画像補正方法。
【発明の詳細な説明】
【技術分野】
【０００１】
本発明は、ネットワーク上で、映像をモニタリングするための映像モニタリングシステム、モニタリングサーバ、モニタリングクライアント及び、そこでモニタリングされる画像の補正を処理する方法に関する。
【背景技術】
【０００２】
監視カメラやＰＣカメラの普及に伴って、ネットワークを介して映像を遠隔地に提示するシステムが多く利用され始めている。また、高精細、ハイダイナミックレンジの技術により、遠隔地の様子を詳細に知ることも可能になっている。
【０００３】
しかしながら、こうしたシステムにおいて、映像を人が見る場合、単純に高精細、ハイダイナミックレンジの画像を提示し情報量を増やすことが、人の情報取得の効率や注視に係る負担に直結するわけではないという問題があった。
【０００４】
人が見て、効率が良く、負担が少ない映像は、情報の完全性よりも、見たい部分がはっきり見え、見せたくない部分が見えないことが重要となるが、利用者の意図や感情に合わせた映像の加工方法としては、顔映像の表情を変化させるもの、画像に何らかのオブジェクトを重畳表示させるものなどがある（例えば、下記特許文献１参照）。
【０００５】
尚、入力映像を解析する手法、及び入力画像を補正する手法として、従来、下記非特許文献１に記載の手法が知られている。
【特許文献１】特開２００５−３２７０９６号公報
【非特許文献１】高木幹雄，画像解析ハンドブック，東京大学出版会，１９９１
【発明の開示】
【発明が解決しようとする課題】
【０００６】
しかしながら、前記特許文献１に記載の手法では、補正結果をカスタマイズするのに高度な知識を要するものであり、もとの映像を大幅に変えてしまうあるいは全く別のものに置き換えてしまい映像の自然さが失われるという問題があった。
【０００７】
本発明は、上述したような従来技術が有する問題点に鑑みてなされたものであって、本発明の目的は、ネットワーク上で実現される映像モニタリングシステムにおいて、利用者の要求に即して、モニタリング映像の閲覧を容易にし、快適にモニタリングすることを実現するために、簡単に画像の補正をすることができるようにすることにある。
【課題を解決するための手段】
【０００８】
上記の目的を達成するために、請求項１記載の発明による映像モニタリングシステムは、
モニタリングサーバ及びモニタリングクライアントを備えて構成される映像モニタリングシステムであって、前記モニタリングサーバは、映像入力装置から出力されるモニタリング対象となる複数の映像を入力する映像入力手段と、前記モニタリングクライアントから送られてくる、画像をどのように補正するかに関する情報を含む補正要求情報を受信して解析を行う配信応対手段と、前記解析結果に基づいて、画像補正情報を生成して、画像補正データベースに格納するとともに、入力映像に対して、画像の補正処理を行う画像補正処理手段と、前記補正処理結果に基づいて、補正処理された画像情報を前記モニタリングクライアントに配信する配信処理手段と、前記画像補正処理手段により生成された画像補正情報を保持する画像補正データベースとを有することを特徴とする。
【０００９】
また請求項２記載の発明による映像モニタリングシステムは、
請求項１記載の映像モニタリングシステムにおいて、前記画像補正処理手段は、入力された映像を取得し各フレームに対する画像情報を含む入力画像情報を生成する手段と、利用者からの画像をどのように補正するかに関する情報を含む補正要求情報を取得する手段と、前記補正要求情報から、補正処理に必要な補正方法を選択する手段と、前記選択された補正方法に基づいて、前記データベースから補正に係る処理パラメータなどを含む画像補正情報を取得する手段と、前記取得処理結果に基づいて、画像補正に必要な画像補正情報を生成する手段と、前記生成処理結果に基づいて、入力された画像情報に対して補正処理する手段と、各フレームに対する画像補正情報を前記データベースに格納する手段と、を有することを特徴とする。
【００１０】
また請求項５記載の発明によるモニタリングサーバは、
利用者により操作されるモニタリングクライアントとネットワークを介して接続され、前記利用者へモニタリング映像を配信するモニタリングサーバにおいて、画像補正情報を保持する画像補正データベースを格納した記憶手段と、該モニタリングサーバの動作を制御する制御手段であって、前記モニタリングクライアントから送られてくる補正要求情報を解析し、該解析結果に基づいて、画像補正情報を生成して、前記画像補正データベースに格納するとともに、入力映像に対して、画像の補正処理を行い、該画像情報を、前記モニタリングクライアントに配信する制御手段と、を有する。
【００１１】
上記構成によれば、モニタリングクライアントからの画像補正要求情報に応じて補正処理された画像が配信される。
【００１２】
また請求項３記載の発明による映像モニタリングシステムは、
請求項１又は２記載の映像モニタリングシステムにおいて、前記モニタリングクライアントは、利用者からの入力を受け付けた画像補正要求に関して、補正要求情報を生成し、前記モニタリングサーバに転送する補正要求定義手段と、前記モニタリングサーバから配信された画像情報を受信して、該情報の表示処理を行う表示制御手段と、を有することを特徴とする。
【００１３】
また請求項６記載の発明による映像モニタリングクライアントは、
モニタリングサーバとネットワークを介して接続され、利用者により操作されるモニタリングクライアントにおいて、前記利用者により操作される入出力手段と、該モニタリングクライアントの動作を制御する制御手段であって、利用者からの入力を受け付けた画像補正要求に関して、補正要求情報を生成し、前記モニタリングサーバに転送し、前記モニタリングサーバから配信された画像情報を受信して、該情報の表示処理を行う制御手段と、を有する。
【００１４】
上記構成において、モニタリングクライアントには、利用者の画像補正要求に即した補正画像が表示される。
【００１５】
また請求項４記載の発明による映像モニタリングシステムは、
請求項３記載の映像モニタリングシステムにおいて、前記補正要求定義手段は、利用者が直感的かつ簡単に映像に対する所望の加工処理を選択することのできるユーザインタフェースを有する。
【００１６】
上記構成において、補正要求定義手段のユーザインタフェースによって、利用者が直感的かつ簡単に加工処理を選択することができる。
【００１７】
また請求項７記載の発明による画像補正方法は、
モニタリングサーバ及びモニタリングクライアントを有して構成される映像モニタリングシステムにおける、該映像モニタリングシステムで配信されるモニタリング画像を補正処理する方法であって、前記モニタリングサーバは、画像をどのように補正するかに関する情報を含む画像補正情報を格納する画像補正データベースを備えており、入力画像情報生成手段が、入力された映像を取得し各フレームに対する画像情報を含む入力画像情報を生成するステップと、補正要求情報取得手段が、利用者からの画像をどのように補正するかに関する情報を含む補正要求情報を取得するステップと、補正方法選択手段が、前記補正要求情報から補正処理に必要な補正方法を選択するステップと、画像補正情報取得手段が、前記選択された補正方法に基づいて前記データベースから補正に係る処理パラメータなどを含む画像補正情報を取得するステップと、画像補正情報生成手段が、前記取得処理結果に基づいて画像補正に必要な画像補正情報を生成するステップと、補正処理手段が、前記生成処理結果に基づいて、入力された画像情報に対して補正処理するステップと、画像補正情報格納手段が、各フレームに対する画像補正情報を前記データベースに格納するステップと、を有する。
【００１８】
上記構成において、利用者からの画像補正要求に即して、必要な補正方法が選択され、該選択された補正方法に基づいて画像が補正され、その画像補正情報が画像補正データベースに格納される。
【発明の効果】
【００１９】
（１）請求項１〜４に記載の発明によれば、ネットワーク上で実現される映像モニタリングシステムにおいて、利用者の補正要求に即したモニタリング映像の閲覧が容易となり、快適にモニタリングすることが実現される。
（２）請求項５に記載の発明によれば、モニタリングサーバにおいて、利用者の補正要求に即したモニタリング映像をモニタリングクライアントに配信することができる。
（３）請求項６に記載の発明によれば、モニタリングクライアントにおいて、利用者の補正要求に即した補正要求情報を作成したモニタリングサーバに転送することができるとともに、モニタリングサーバから配信された画像情報を表示することができる。
（４）請求項７に記載の発明によれば、利用者からの画像補正要求に即して、必要な補正方法を選択することができ、該選択された補正方法に基づき補正した画像情報を画像補正データベースに格納することができる。
【発明を実施するための最良の形態】
【００２０】
以下、図面を参照しながら本発明の実施の形態を説明するが、本発明は下記の実施形態例に限定されるものではない。
【００２１】
図１は、本発明の一実施形態例における映像モニタリングシステムのシステム構成図である。図１に示すように、映像モニタリングシステムは、モニタリングサーバ１０、モニタリングクライアント２０、及びモニタリング用カメラ３０（映像入力装置）などのハードウェアから構成される。これらはネットワークで物理的に接続されている。なお、以下の説明では、モニタリングサーバ１０、モニタリングクライアント２０を接続するネットワークがインターネットであるものとして説明を行う。
【００２２】
モニタリングサーバ１０には、本発明の、映像入力手段としての映像入力部１１、配信応対手段としての配信応対部１２、画像補正処理手段としての画像補正処理部１３、画像補正データベース１４及び配信処理手段としての配信処理部１５が設けられる。画像補正データベース１４は、画像補正処理部１３により生成された画像補正情報を格納する。
【００２３】
映像入力部１１は、カメラ３０などから出力されるモニタリング対象となる複数の映像を入力する機能を実現する。配信応対部１２は、モニタリングクライアント２０との間のインタフェースとして機能し、モニタリングクライアント２０から送られてくる補正要求情報を受信して解析を行う機能を実現する。画像補正処理部１３は、該解析結果に基づいて、画像補正情報を生成して、画像補正データベース１４に格納するとともに、入力映像に対して、画像の補正処理を行う機能を実現する。配信処理部１５は、画像補正処理部１３での処理結果に基づいて、補正処理された画像情報を、モニタリングクライアント２０に配信する機能を実現する。
【００２４】
モニタリングサーバ１０は、パーソナルコンピュータ、ワークステーションなどの情報処理機器を用いればよい。画像補正情報は、これら情報処理機器が有する、磁気ディスク装置、光ディスク装置などの記憶装置内に格納される。また、上述した各処理部、すなわち、映像入力部１１、配信応対部１２、画像補正処理部１３、及び配信処理部１５は、実際には、情報処理機器が有するメモリ内にプログラムの形で格納されて実行される。
【００２５】
モニタリングクライアント２０には、本発明の補正要求定義手段としての補正要求定義部２１、表示制御手段としての表示制御部２２及び入出力装置（入力装置２３、提示装置２４）が設けられる。モニタリングクライアント２０は、映像モニタリングシステムにおける映像利用者とのインタフェースとして入出力装置を備え、利用者の画像補正要求を受け付ける。これは、例えば、全てのモニタリング映像の明るさを均一にするなどの要求であり、この指示を受け、画像補正された映像を、モニタリングクライアント２０で表示することになる。
【００２６】
補正要求定義部２１は、入力を受け付けた画像補正要求に関して、補正要求情報を生成し、前記モニタリングサーバに転送する機能を実現する。この補正要求定義部２１は、利用者の意図をシステムに伝えるユーザインタフェースを提供する。利用者の意図は、直感的にわかりやすい複数の形容詞とその程度を選択することによって入力したり、特定の状況を象徴するような名詞、あるいは特定の状況を象徴する参照画像を選択したりすることで入力できる。表示制御部２２は、モニタリングサーバ１０から配信された画像情報を受信して、該情報の表示処理を行う機能を実現する。
【００２７】
モニタリングクライアント２０は、利用者とのインタフェースとなる、キーボード、マウス、ジョイスティックなどの入力装置２３、ＣＲＴディスプレイなどの出力装置（提示装置２４）によって実現され、例えば、パーソナルコンピュータにより実現される。この場合、上述した各処理部、すなわち、配信要求定義部２１、及び表示制御部２２は、このような情報処理機器のメモリに格納されて実行されるプログラムにより実現することができる。
【００２８】
次に、以上説明したような映像モニタリングシステムにおいて、実際に映像をモニタリングする際の処理について説明する。まず、本実施の形態の一機能である画像を補正する際の処理について説明する。
【００２９】
モニタリングサーバ１０の画像補正処理部１３により行われる処理フローを図２に示す。画像補正処理部１３では、図２に示すように、映像入力部１１からの映像情報と、配信応対部１２から受け取った補正要求情報をもとに、画像を補正するために用いる画像補正情報を算出し画像補正データベース１４に格納するとともに、入力映像に対して、画像の補正処理を行う。
【００３０】
まずステップＳ１０１において、映像入力部１１から、処理対象となる入力映像と、それに付随する情報を取得し、映像の中から、各フレームの画像情報と付随情報を含む入力画像情報を生成する。付随情報は例えば、カメラパラメータ、撮影場所などの情報がある（付随情報が不足している場合は、入力映像を解析して算出してもよい）。
【００３１】
次にステップＳ１０２において、配信応対部１２から、利用者の要求情報を取得する。利用者の要求情報としては、明るさに対する要求、色に対する要求、特定領域に対する要求、全体の特性の傾向を変える要求などが含まれる。
【００３２】
次にステップＳ１０３において、入力画像の情報と、利用者の要求情報をもとに、補正処理方法を選択する。補正処理方法としては、例えば、明るさに対する処理、色に対する処理、特定領域に対する処理、全体の特性の傾向を変える処理などが含まれる。
【００３３】
次にステップＳ１０４において、画像補正データベース１４を参照し、入力画像情報と選択した画像補正処理に係る、処理パラメータ、閾値などの情報を含む画像補正情報がすでに格納されているデータの中にあるか探索する。そして画像補正データベース１４の中にすでに利用可能な画像補正情報がある場合は、画像補正データベース１４から画像補正情報を取得する（ステップＳ１０５，Ｓ１０６）。また画像補正データベース１４に利用可能な画像補正情報がない場合は、新たに入力画像の情報を解析して、画像補正情報を生成する（ステップＳ１０５，Ｓ１１６）。
【００３４】
次にステップＳ１０７において、選択した補正処理と画像補正情報に基づき各フレーム画像に対して補正処理を行い補正画像を生成する。
【００３５】
次にステップＳ１０８において、各フレーム画像に対して用いた画像補正情報を画像補正データベース１４に格納する。
【００３６】
次に、実際に映像をモニタリングする際の処理について説明する。モニタリングクライアント２０では、図３に示すような処理フローで処理を行う。補正要求定義部は２１、利用者に対して、補正要求選択のためのユーザインタフェース（以下、補正要求選択ＵＩと称する）を提示するとともに、利用者からの補正要求入力を受け付けて、補正要求情報を生成し、モニタリングサーバ１０に送信する。
【００３７】
モニタリングサーバ１０では、図４に示すような処理フローで処理を行う。配信応対部１２では、モニタリングクライアント２０から送られてきた補正要求情報を受信する。映像入力部１１では、カメラなどの映像入力装置から送られてきた映像を受信する。画像補正処理部１３では、配信応対部１２と映像入力部１１からの情報をもとに、補正画像を生成する。配信処理部１５では、補正画像をモニタリングクライアント２０へ送信する。
【００３８】
更に、モニタリングクライアント２０では、図５に示すような処理フローで処理を行う。表示制御部２２では、モニタリングサーバ１０から送られてきた補正画像を受信し、利用者へ提示する。
【００３９】
以下、これまで説明してきた映像モニタリングシステムにおいて、映像を補正する際の操作について、具体的にその手順を説明する。
（多地点監視）
本システムは図６に示すように多地点の集約監視として実施することもできる。図６において、複数の映像入力装置、例えばカメラ３０，３０…がモニタリングサーバ１０に接続され、モニタリングクライアント２０を通して、利用者は映像をモニタリングする。
【００４０】
モニタリングサーバ１０には、複数の入力映像が集約され、利用者はモニタリングクライアント２０を介して、映像をモニタリングし、モニタリングクライアント２０が提供する入力装置２３を用いて画像に対する補正要求を送信し、提示装置２４を介して補正結果を見ることができる。本実施形態例において、利用者は複数の映像を同時にモニタリングすることができる。
【００４１】
モニタリングクライアント２０は、補正要求定義部２１において、例えば、図７に示すような補正要求選択ＵＩを提示する。図７に示すように、補正要求定義部２１において、補正要求選択ＵＩは、複数の映像に対する補正方法の候補を提示する。ここで、例えば、「明るさを平均化」するという補正要求を選択したとする。
【００４２】
このとき、例えば図８（ａ）〜（ｆ）に示すような明るさにばらつきのある入力映像がモニタリングサーバ１０に入力されている場合、「明るさを平均化する」という補正要求にしたがってモニタリングサーバ１０において、各入力映像間の明るさのばらつきを平均化するような画像補正処理が行われる。
【００４３】
モニタリングサーバ１０において、生成された補正画像はモニタリングクライアント２０に送信され、モニタリングクライアント２０はそれを受信し利用者に提示する。この例において、利用者に提示される映像は、例えば図９（ａ）〜（ｆ）に示すような各映像の明るさのばらつきが平均化されたものとなる。
【００４４】
このとき、モニタリングサーバ１０において、映像入力部１１は、前記図８に示すような入力映像を受け付け、配信応対部１２は、モニタリングクライアント２０から利用者の要求情報、この場合「明るさを平均化する」という情報を受信する。
【００４５】
画像補正処理部１３は、映像入力部１１からの映像情報と、配信応対部１２からの要求情報をもとに画像を補正する処理を行う。この例においては、前記図８（ａ）〜（ｆ）に示すような入力映像から順次処理対象となる映像を取得し、補正処理を行う。
【００４６】
まず、映像入力部１１から処理対象となる映像を取得し、映像の各フレーム画像と、撮影場所などの付随情報を含む入力画像情報を生成する（図２のステップＳ１０１）。ここで、付随情報としては、図８（ａ）の映像の場合、例えば、「オフィスの廊下」といった場所の情報が含まれてもよい。
【００４７】
次に、配信応対部１２から利用者の要望である「明るさを平均化する」という情報を取得する（図２のステップＳ１０２）。
【００４８】
次に、入力映像を補正するために必要な処理方法を選択する（図２のステップＳ１０３）。ここで、処理方法は、従来より一般的に用いられているヒストグラム補正、コントラスト補正などの明るさを補正する処理を組み合わせて行ってもよい。
【００４９】
次に、画像補正データベース１４を参照し、入力画像情報と選択した画像補正処理に係る、処理パラメータ、閾値などの情報を含む画像補正情報がすでに格納されているデータの中にあるか探索する（図２のステップＳ１０４）。画像補正データベース１４に格納されている画像補正情報は、例えば、「オフィスの廊下」という情報と、それに適したヒストグラムの分布パターンなどである。
【００５０】
ここで、画像補正データベース１４に格納されている画像補正情報は、あらかじめ登録しておいてもよい。例えば、あらかじめ特定の場所や状況を象徴するような画像群の特徴を解析しそのヒストグラム分布などを補正処理の際に用いる画像補正情報として画像補正データベース１４に格納しておいてもよい。
【００５１】
画像群は、特定の指標によってカテゴライズできるものであり、例えば場所を指標に用いたとして、「リビング」であれば、様々なリビングの画像を用意し、指標として「明るい人物の顔」を用いたとすれば、様々な明るい顔という条件に当てはまる人物の顔画像を用意する。この過程において、あらかじめシステムの設計者が画像群を用意しておくこともできるし、利用者が自分の感性で画像群を用意してもよい。
【００５２】
画像補正データベース１４に、利用可能な画像補正情報がすでにある場合は、それを利用して入力画像に対して、補正処理を行い補正画像を生成する（図２のステップＳ１０５〜Ｓ１０７）。また画像補正データベース１４に、利用可能な画像補正情報がない場合は、新たに入力画像の情報を解析して、画像補正情報を生成し、画像補正データベース１４に格納するとともに、生成した画像補正情報に基づいて補正画像を生成する（図２のステップＳ１０５，Ｓ１１６，Ｓ１０７，Ｓ１０８）。
【００５３】
前記入力映像を解析する手法、及び入力画像を補正する手法としては、従来より一般的に用いられている背景差分、パターンマッチング、顔検出技術などを用いて処理対象領域を抽出したり、ヒストグラム、色調、コントラスト、主成分に対する処理などの一般的な統計解析を用いることができ（例えば非特許文献１に記載の手法）、その詳細説明は省略する。
【００５４】
以上、本発明を実施形態例に基づき具体的に説明したが、本発明は上記の実施形態例に限定されるものではなく、その要旨を逸脱しない範囲で種々変更可能であることはいうまでもない。
【図面の簡単な説明】
【００５５】
【図１】本発明の一実施形態例を示す構成図。
【図２】本発明の一実施形態例の画像補正処理部の処理の流れを示すフローチャート。
【図３】本発明の一実施形態例の補正画像定義部の処理の流れを示すフローチャート。
【図４】本発明の一実施形態例のモニタリングサーバの動作を示すフローチャート。
【図５】本発明の一実施形態例の表示制御部の動作を示すフローチャート。
【図６】本発明の実施形態例を適用した多地点監視の例を示す構成図。
【図７】本発明の実施形態例を適用した多地点監視時の補正要求選択ＵＩの例を示す説明図。
【図８】本発明の実施形態例を適用した多地点監視時の映像入力例を示す説明図。
【図９】本発明の実施形態例を適用した多地点監視時の補正映像例を示す説明図。
【符号の説明】
【００５６】
１０…モニタリングサーバ、１１…映像入力部、１２…配信応対部、１３…画像補正処理部、１４…画像補正データベース、１５…配信処理部、２０…モニタリングクライアント、２１…補正要求定義部、２２…表示制御部、２３…入力装置、２４…提示装置、３０…カメラ。
【図１】
2007306529.tif 000003
【図２】
2007306529.tif 000004
【図３】
2007306529.tif 000005
【図４】
2007306529.tif 000006
【図５】
2007306529.tif 000007
【図６】
2007306529.tif 000008
【図７】
2007306529.tif 000009
【図８】
2007306529.tif 000010
【図９】
2007306529.tif 000011